(57)【特許請求の範囲】
【請求項１】
蓄電要素が２枚のラミネートフィルムで挟まれると共に、前記ラミネートフィルムの外周縁部が溶着して封止され、前記蓄電要素に接続されている２つの端子が前記ラミネートフィルムの両端から導出されているラミネート型蓄電体を保持する蓄電体保持ケースであって、
前記ラミネート型蓄電体のうち前記蓄電要素を前記ラミネートフィルムで挟んでいる部分である蓄電要素部が嵌入することができる貫通孔が中央部に形成されて四角枠状となっており、外周面が第１及び第２の縦辺と第１及び第２の横辺の４辺で成る、樹脂製の第１の蓄電体収容部と、
前記蓄電要素部が嵌入することができる貫通孔が中央部に形成されて四角枠状となっており、外周面が第１及び第２の縦辺と第１及び第２の横辺の４辺で成る、樹脂製の第２の蓄電体収容部と、
前記第１の蓄電体収容部の第１の縦辺と前記第２の蓄電体収容部の第１の縦辺とを連結・接続しつつ折り曲げ可能となっており、折り曲げられて前記第１の蓄電体収容部と前記第２の蓄電体収容部とを閉じていって両蓄電体収容部の表面同士を対面させることができる樹脂製の第１の折り曲げ部と、
前記第１の蓄電体収容部と前記第２の蓄電体収容部のうちの一方の蓄電体収容部において、前記第１または第２の横辺の一方に、樹脂製の第２の折り曲げ部を介して折り曲げ可能に連結・接続されると共に、第１の鉤部を有している樹脂製の第１のオスロックと、
前記第１の蓄電体収容部と前記第２の蓄電体収容部のいずれかにおいて、前記第１または第２の横辺の他方に沿い形成された、前記第１の鉤部が係合することが可能となっている溝である第１のメスロックと、
でなるケース連結部と
を備え、
全体が一体的に形成された単一の構造体からなるものである
ことを特徴とする蓄電体保持ケース。
【請求項２】
請求項１において、
前記ラミネート型蓄電体を前記第１の蓄電体収容部の表面に載せて、前記蓄電要素部を前記貫通孔に嵌入し、前記端子を第１及び第２の横辺に交差する状態にしたときに、前記ラミネートフィルムの外周縁部が溶着している部分である溶着部が嵌入する溶着部保持溝と、前記２つの端子が嵌入する２つの端子保持溝が、前記第１の蓄電体収容部の表面に形成され、
前記ラミネート型蓄電体を前記第２の蓄電体収容部の表面に載せて、前記蓄電要素部を前記貫通孔に嵌入し、前記端子を第１及び第２の横辺に交差する状態にしたときに、前記溶着部が嵌入する溶着部保持溝と、前記２つの端子が嵌入する２つの端子保持溝が、前記第２の蓄電体収容部の表面に形成されている
ことを特徴とする蓄電体保持ケース。
【請求項３】
請求項１または請求項２において、
前記第１の蓄電体収容部と前記第２の蓄電体収容部のうちの一方の蓄電体収容部において、前記第２の縦辺に、樹脂製の第３の折り曲げ部を介して折り曲げ可能に連結・接続されると共に、第２の鉤部を有している樹脂製の第２のオスロックと、
前記第１の蓄電体収容部と前記第２の蓄電体収容部のうちの他方の蓄電体収容部の裏面において、前記第２の縦辺に沿い、前記第２の鉤部が係合することが可能となっている溝である第２のメスロックと、
でなるケース閉じ部を備え、
全体が一体的に形成された単一の構造体からなるものである
ことを特徴とする蓄電体保持ケース。
【請求項４】
請求項１ないし請求項３のいずれか一項において、
前記第１の蓄電体収容部と前記第２の蓄電体収容部のうちの他方の蓄電体収容部の表面において、前記第１または第２の横辺の他方に沿い端子折り曲げ突部が形成されており、
前記第１の折り曲げ部の位置で折り曲げて前記第１の蓄電体収容部と前記第２の蓄電体収容部とを閉じていった際に、前記端子折り曲げ突部が、前記第１の蓄電体収容部と前記第２の蓄電体収容部のうちの一方の蓄電体収容部の前記第１または第２の横辺の他方に摺接する
ことを特徴とする蓄電体保持ケース。
【請求項５】
請求項１ないし請求項４のいずれか一項において、
前記第１の蓄電体収容部と前記第２の蓄電体収容部の裏面において、前記第１または第２の横辺の一方に沿い形成した突起構造のオス嵌合部と、
前記第１の蓄電体収容部と前記第２の蓄電体収容部の裏面において、前記第１または第２の横辺の他方に沿い形成され、前記オス嵌合部が嵌合することができる穴構造となっているメス嵌合部と、
でなる嵌合型ケース連結部を備えている
ことを特徴とする蓄電体保持ケース。
【発明の詳細な説明】
【技術分野】
【０００１】
本発明は、蓄電体保持ケースに関し、ラミネート型蓄電体を自立状態で保持し、安全かつ容易に蓄電体同士を直列接続できるようにしたものである。
【背景技術】
【０００２】
二次電池をはじめとした蓄電体の適用分野は、自動車や建機といった移動体や、負荷平準化装置や電力補償装置といった電力設備など、多方面へ広がっている。このような状況に合わせて、蓄電体を製造する各メーカは、それぞれ独自の特徴を持った蓄電体を開発しており、蓄電体を多様な用途・分野へ展開できるようにしている。
【０００３】
蓄電体の一つの形態としてラミネート型蓄電体がある。ラミネート型蓄電体は、蓄電要素をアルミラミネートフィルムで封止した構造になっている。
ラミネート型蓄電体は、一般的に薄型なため、ラミネート型蓄電体を複数セル（複数個）組み合わせて蓄電体ユニットを構成して使用することがある。このように蓄電体ユニットを構成する場合には、スペースを有効に活用でき、コンパクトにユニットを構成できるという利点がある。
【０００４】
ここで図１６を参照して、ラミネート型蓄電体１０の一例を説明する。
ラミネート型蓄電体１０では、平板状で矩形の蓄電要素１１を、アルミラミネートフィルム１２により封止している。つまり、２枚の矩形のアルミラミネートフィルム１２により蓄電要素１１を挟み、両アルミラミネートフィルム１２の外周縁部を熱溶着することにより、蓄電要素１１を封止している。
このようにアルミラミネートフィルム１２で蓄電要素１１を密封することにより、ラミネート型蓄電体１０の内部へ水分が浸入することを防止して、特性の劣化及びガスの発生を抑えている。
【０００５】
蓄電要素１１に接続されている２本の端子（タブリード）１３ａ，１３ｂは、アルミラミネートフィルム１２の外側に導出されている。ちょうど、蓄電要素１１を中心として、一方の端子１３ａと他方の端子１３ｂは、逆方向に直線状に延びる状態で配置されている。なお、端子１３ａ，１３ｂの一方が正極端子であり、他方が負極端子である。端子１３ａ，１３ｂは、平板状の金属板で形成されている。
【０００６】
端子１３ａ，１３ｂとアルミラミネートフィルム１２の間には、熱溶着を確実にするため樹脂フィルム１４を介在させている。
【０００７】
なお、ラミネート型蓄電体１０の各部分を、次のように定義する。
（１）  蓄電要素１１を２枚のアルミラミネートフィルム１２により挟んでいる部分、即ち、図１６においてラミネート型蓄電体１０の中央部分において厚くなっている矩形部分を、「蓄電要素部α」とする。
（２）  ２枚のラミネートフィルム１２のうち熱溶着されている外周縁部、即ち、蓄電要素部αの周囲を囲む四角枠状の部分を、「溶着部β」とする。
【先行技術文献】
【特許文献】
【０００８】
【特許文献１】特開２００６−２７８２６３号公報
【発明の概要】
【発明が解決しようとする課題】
【０００９】
ラミネート型蓄電体では、封止材であるアルミラミネートフィルムの外周縁部（溶着部β）を熱溶着して密閉することが一般的であり、このアルミラミネートフィルムは強い剛性を持っていない。このため、他の支持構造体を用いることなく、ラミネート型蓄電体を、それ自体単独で自立させることは困難である。
【００１０】
そこで、ラミネート型蓄電体を自立させるために、特許文献１（特開２００６−２７８２６３号公報）に示されているように、ラミネート型蓄電体を一対の構造体（枠体）で挟み込むことによって、保持する手法が提案されている。
しかし、このような手法では、一つのラミネート型蓄電体に対して２つの構造体が必要になるため、ラミネート型蓄電体に対して２倍の点数の構造体が必要になり、部品点数が多くなるという問題がある。
【００１１】
更に、構造体（枠体）同士を連結させるためには、例えば金具等の補助部品が必要になる。しかし、補助部品を使用する場合には、部品点数の増加による管理や組み立て作業が煩雑になる。
【００１２】
更に、ラミネート型蓄電体では、端子は平板状の金属板であることが一般的には多い。このような端子を持つ複数のラミネート型蓄電体を組み合わせることにより、蓄電体ユニットを構成する場合には、端子間の接続が必要になる。このとき端子が平板状であるため、端子間の接続を維持するためには、例えば溶接する、あるいはビス止めを行うといった加工が必要となる。これらの加工はユーザが任意に実施する場合が多く、組み立てまでに煩雑な作業が生じることとなる。
【００１３】
またラミネート型蓄電体のうち、二次電池や、リチウムイオンキャパシタでは、常時電圧を保持しているため、端子の加工及び接続は活線作業（端子に電圧が印加された状態での作業）となる。したがって、感電を回避して作業者の安全を確保することや、故障の原因となる極間短絡を起こさないようにするといった配慮が必要であった。
【００１４】
本発明は、上記従来技術に鑑み、ラミネート型蓄電体を自立状態で保持でき、更に安全かつ容易にラミネート型蓄電体同士を直列接続できるようにした、蓄電体保持ケースを提供することを目的とする。
【課題を解決するための手段】
【００１５】
上述した課題を解決する本発明の構成は、
蓄電要素が２枚のラミネートフィルムで挟まれると共に、前記ラミネートフィルムの外周縁部が溶着して封止され、前記蓄電要素に接続されている２つの端子が前記ラミネートフィルムの両端から導出されているラミネート型蓄電体を保持する蓄電体保持ケースであって、
前記ラミネート型蓄電体のうち前記蓄電要素を前記ラミネートフィルムで挟んでいる部分である蓄電要素部が嵌入することができる貫通孔が中央部に形成されて四角枠状となっており、外周面が第１及び第２の縦辺と第１及び第２の横辺の４辺で成る、樹脂製の第１の蓄電体収容部と、
前記蓄電要素部が嵌入することができる貫通孔が中央部に形成されて四角枠状となっており、外周面が第１及び第２の縦辺と第１及び第２の横辺の４辺で成る、樹脂製の第２の蓄電体収容部と、
前記第１の蓄電体収容部の第１の縦辺と前記第２の蓄電体収容部の第１の縦辺とを連結・接続しつつ折り曲げ可能となっており、折り曲げられて前記第１の蓄電体収容部と前記第２の蓄電体収容部とを閉じていって両蓄電体収容部の表面同士を対面させることができる樹脂製の第１の折り曲げ部と、
前記第１の蓄電体収容部と前記第２の蓄電体収容部のうちの一方の蓄電体収容部において、前記第１または第２の横辺の一方に、樹脂製の第２の折り曲げ部を介して折り曲げ可能に連結・接続されると共に、第１の鉤部を有している樹脂製の第１のオスロックと、
前記第１の蓄電体収容部と前記第２の蓄電体収容部のいずれかにおいて、前記第１または第２の横辺の他方に沿い形成された、前記第１の鉤部が係合することが可能となっている溝である第１のメスロックと、
でなるケース連結部と
を備え、
全体が一体的に形成された単一の構造体からなるものである
ことを特徴とする。
【００１６】
また本発明の構成は、
前記ラミネート型蓄電体を前記第１の蓄電体収容部の表面に載せて、前記蓄電要素部を前記貫通孔に嵌入し、前記端子を第１及び第２の横辺に交差する状態にしたときに、前記ラミネートフィルムの外周縁部が溶着している部分である溶着部が嵌入する溶着部保持溝と、前記２つの端子が嵌入する２つの端子保持溝が、前記第１の蓄電体収容部の表面に形成され、
前記ラミネート型蓄電体を前記第２の蓄電体収容部の表面に載せて、前記蓄電要素部を前記貫通孔に嵌入し、前記端子を第１及び第２の横辺に交差する状態にしたときに、前記溶着部が嵌入する溶着部保持溝と、前記２つの端子が嵌入する２つの端子保持溝が、前記第２の蓄電体収容部の表面に形成されている
ことを特徴とする。
【００１８】
また本発明の構成は、
前記第１の蓄電体収容部と前記第２の蓄電体収容部のうちの一方の蓄電体収容部において、前記第２の縦辺に、樹脂製の第３の折り曲げ部を介して折り曲げ可能に連結・接続されると共に、第２の鉤部を有している樹脂製の第２のオスロックと、
前記第１の蓄電体収容部と前記第２の蓄電体収容部のうちの他方の蓄電体収容部の裏面において、前記第２の縦辺に沿い、前記第２の鉤部が係合することが可能となっている溝である第２のメスロックと、
でなるケース閉じ部を備え、
全体が一体的に形成された単一の構造体からなるものである
ことを特徴とする。
【００１９】
また本発明の構成は、
前記第１の蓄電体収容部と前記第２の蓄電体収容部のうちの他方の蓄電体収容部の表面において、前記第１または第２の横辺の他方に沿い端子折り曲げ突部が形成されており、
前記第１の折り曲げ部の位置で折り曲げて前記第１の蓄電体収容部と前記第２の蓄電体収容部とを閉じていった際に、前記端子折り曲げ突部が、前記第１の蓄電体収容部と前記第２の蓄電体収容部のうちの一方の蓄電体収容部の前記第１または第２の横辺の他方に摺接する
ことを特徴とする。
【００２０】
また本発明の構成は、
前記第１の蓄電体収容部と前記第２の蓄電体収容部の裏面において、前記第１または第２の横辺の一方に沿い形成した突起構造のオス嵌合部と、
前記第１の蓄電体収容部と前記第２の蓄電体収容部の裏面において、前記第１または第２の横辺の他方に沿い形成され、前記オス嵌合部が嵌合することができる穴構造となっているメス嵌合部と、でなる嵌合型ケース連結部を備えている
ことを特徴とする。
【発明の効果】
【００２１】
本発明の蓄電体保持ケースによれば、第１の蓄電体収容部と第２の蓄電体収容部を第１の折り曲げ部において折り曲げていくことにより、ラミネート型蓄電体を第１及び第２の蓄電体収容部により挟持でき、ラミネート型蓄電体を自立状態で保持することができる。
このとき、溶着部保持溝や端子保持溝が蓄電体収容部の表面に形成されているため、ラミネート型蓄電体を確実に保持することができる。
【００２２】
また、ケース連結部を備えていることにより、複数の蓄電体保持ケースを機械的に連結することができる。
【００２３】
更に、ケース連結部の第１のオスロックを折り曲げたり、端子折り曲げ突部が他の蓄電体収容部の横辺に摺動したりすることにより、ラミネート型蓄電体の端子を折り曲げることができ、複数の蓄電体保持ケースを機械的に連結すると同時に、ラミネート型蓄電体を直列接続することができる。
【００２４】
また更に、嵌合型ケース連結部を備えることにより、複数の蓄電体保持ケースを容易且つ確実に機械的に連結することができる。
【図面の簡単な説明】
【００２５】
【図１】実施例１に係る蓄電体保持ケースを示す斜視図。
【図２Ａ】実施例１に係る蓄電体保持ケースを示す正面図とその要部図。
【図２Ｂ】実施例１に係る蓄電体保持ケースを示す上面図とその要部図。
【図２Ｃ】実施例１に係る蓄電体保持ケースを示す下面図とその要部図。
【図２Ｄ】実施例１に係る蓄電体保持ケースを示す左側面図とその要部図。
【図２Ｅ】実施例１に係る蓄電体保持ケースを示す右側面図とその要部図。
【図３Ａ】図２ＡのＡ−Ａ断面図とその要部図。
【図３Ｂ】図２ＡのＢ−Ｂ断面図とその要部図。
【図３Ｃ】図２ＡのＣ−Ｃ断面図とその要部図。
【図３Ｄ】図２ＡのＤ−Ｄ断面図とその要部図。
【図４】実施例１に係る蓄電体保持ケースの連結状態を示す斜視図。
【図５】実施例２に係る蓄電体保持ケースを表面側から示す斜視図。
【図６】実施例２に係る蓄電体保持ケースを裏面側から示す斜視図。
【図７Ａ】実施例２に係る蓄電体保持ケースを示す正面図。
【図７Ｂ】実施例２に係る蓄電体保持ケースを示す上面図。
【図７Ｃ】実施例２に係る蓄電体保持ケースを示す下面図。
【図７Ｄ】実施例２に係る蓄電体保持ケースを示す左側面図。
【図７Ｅ】実施例２に係る蓄電体保持ケースを示す右側面図。
【図８Ａ】図７ＡのＡ−Ａ断面図。
【図８Ｂ】図７ＡのＢ−Ｂ断面図。
【図８Ｃ】図７ＡのＣ−Ｃ断面図。
【図８Ｄ】図７ＡのＤ−Ｄ断面図。
【図９】実施例２に係る蓄電体保持ケースを閉じた状態で示す斜視図。
【図１０】実施例２に係る蓄電体保持ケースの連結状態を示す斜視図。
【図１１】実施例３に係る蓄電体保持ケースを示す斜視図。
【図１２Ａ】実施例３に係る蓄電体保持ケースを示す正面図。
【図１２Ｂ】実施例３に係る蓄電体保持ケースを示す上面図。
【図１２Ｃ】実施例３に係る蓄電体保持ケースを示す下面図。
【図１２Ｄ】実施例３に係る蓄電体保持ケースを示す左側面図。
【図１２Ｅ】実施例３に係る蓄電体保持ケースを示す右側面図。
【図１３Ａ】図１２ＡのＡ−Ａ断面図。
【図１３Ｂ】図１２ＡのＢ−Ｂ断面図。
【図１３Ｃ】図１２ＡのＣ−Ｃ断面図。
【図１３Ｄ】図１２ＡのＤ−Ｄ断面図とその要部図。
【図１４】実施例３に係る蓄電体保持ケースの連結状態を示す断面図。
【図１５】実施例３に係る蓄電体保持ケースの連結状態を示す断面図。
【図１６】ラミネート型蓄電体を示す構成図。
【発明を実施するための形態】
【００２６】
以下、本発明に係る蓄電体保持ケースを、実施例に基づき詳細に説明する。
【００２７】
〔実施例１〕
実施例１に係る蓄電体保持ケースＣ１を、図１〜図４を参照して説明する。
【００２８】
＜蓄電体保持ケースの概略構成＞
蓄電体保持ケースＣ１の概略構成を、図１及び図２Ａ〜図２Ｅを参照して説明する。なお、図１は斜視図、図２Ａは正面図とその要部図、図２Ｂは上面図とその要部図、図２Ｃは下面図とその要部図、図２Ｄは左側面図とその要部図、図２Ｅは右側面図とその要部図である。
【００２９】
蓄電体保持ケースＣ１は、例えば、熱可塑性の合成樹脂を金型内に注入して成形する射出成形等により、全体を一体的に形成したものである。単一の構造体である蓄電体保持ケースＣ１は、矩形状（本例では長方形状）の第１の蓄電体収容部１００と、矩形状（本例では長方形状）の第２の蓄電体収容部２００と、直線状の折り曲げ部５０と、ケース連結部６０を主要部材としている。
そして第１の蓄電体収容部１００の一つの長辺と、第２の蓄電体収容部２００の一つの長辺とが、折り曲げ部５０により連結・接続された構成となっている。
蓄電体保持ケースＣ１は、合成樹脂等により形成したものであるため、全体が絶縁体により形成された絶縁構造物である。
【００３０】
蓄電体収容部１００の中央部分には、矩形状の貫通孔１０１が形成されている。貫通孔１０１の大きさは、ラミネート型蓄電体１０の蓄電要素部αが嵌入できる大きさ及び形状になっている。このように、矩形状の蓄電体収容部１００に矩形状の貫通孔１０１が形成されることにより、蓄電体収容部１００は、貫通孔１０１を含めて全体的に見ると四角枠状になっている。
蓄電体収容部２００の中央部分には、矩形状の貫通孔２０１が形成されている。貫通孔２０１の大きさは、ラミネート型蓄電体１０の蓄電要素部αが嵌入できる大きさ及び形状になっている。このように、矩形状の蓄電体収容部２００に矩形状の貫通孔２０１が形成されることにより、蓄電体収容部２００は、貫通孔２０１を含めて全体的に見ると四角枠状になっている。
【００３１】
折り曲げ部５０は、蓄電体収容部１００，２００に対して、厚さが極めて薄くなっている（図２Ｅ、図２Ｄ参照）。このため、折り曲げ部５０の位置で折り曲げて、蓄電体収容部１００と蓄電体収容部２００とを閉じていって対面させることができる。
比喩的に説明すると、蓄電体保持ケースＣ１をブックカバーになぞらえると、蓄電体収容部１００が表カバーに、蓄電体収容部２００が裏カバーに、折り曲げ部５０が背表紙に対応しており、図１及び図２Ａに示すように蓄電体収容部１００，２００が開いて平面状になっている形態から、折り曲げ部５０の位置で折り曲げて、蓄電体収容部１００，２００を閉じていくことができる。
【００３２】
詳細は後述するが、図１及び図２Ａに示すように、蓄電体収容部１００と蓄電体収容部２００とが開いて蓄電体保持ケースＣ１が全体として一つの面状になっている状態において、例えば蓄電体収容部１００の貫通孔１０１に、ラミネート型蓄電体１０の蓄電要素部αを嵌入する状態にして、ラミネート型蓄電体１０を蓄電体収容部１００に載せ、折り曲げ部５０の位置で折り曲げて、蓄電体収容部２００を蓄電体収容部１００側に閉じていけば、２つの蓄電体収容部１００，２００により、ラミネート型蓄電体１０を挟み込んで保持することができる。
【００３３】
＜蓄電体収容部の面及び辺の定義＞
蓄電体保持ケースＣ１の詳細構造を説明する際に理解が容易になるように、予め、蓄電体収容部１００，２００の面及び辺を次のように定義しておく。
【００３４】
図１及び図２Ａに示すように、蓄電体収容部１００と蓄電体収容部２００とが開いて蓄電体保持ケースＣ１が全体として一つの面状になっている状態において、視認できる広い面を「表面」とする。具体的には、図１及び図２Ａに示す状態において、蓄電体収容部１００において視認できる広い面を「表面Ｓｓ１」とし、蓄電体収容部２００において視認できる広い面を「表面Ｓｓ２」とする。
換言すると、折り曲げ部５０の位置で折り曲げて、蓄電体収容部１００と蓄電体収容部２００とを閉じていったときに、お互いに対面する面が、表面Ｓｓ１，Ｓｓ２である。
【００３５】
蓄電体収容部１００のうち、表面Ｓｓ１とは反対側の面（図１，図２Ａにおいて視認することができない側の面）を「裏面Ｓｒ１」とする。蓄電体収容部２００のうち、表面Ｓｓ２とは反対側の面（図１，図２において視認することができない側の面）を「裏面Ｓｒ２」とする。
【００３６】
蓄電体収容部１００は、前述したように、全体的には四角枠状になっている。つまり、蓄電体収容部１００の外周面は４つの辺により構成されている。
蓄電体収容部１００の辺のうち、折り曲げ部５０に沿う辺を、「第１縦辺Ｘ１１」とする。第１縦辺Ｘ１１に平行で対向する辺を「第２縦辺Ｘ１２」とする。
第１縦辺Ｘ１１の一端と、第２縦辺Ｘ１２の一端とをつなぐ辺を、「第１横辺Ｙ１１」とする。第１縦辺Ｘ１１の他端と、第２縦辺Ｘ１２の他端とをつなぐ辺を、「第２横辺Ｙ１２」とする。
図１，図２Ａに示す例では、蓄電体収容部１００は長方形になっているので、第１縦辺Ｘ１１及び第２縦辺Ｘ１２が長辺となっており、第１横辺Ｙ１１及び第２横辺Ｙ１２が短辺となっている。
【００３７】
蓄電体収容部２００は、前述したように、全体的には四角枠状になっている。つまり、蓄電体収容部２００の外周面は４つの辺により構成されている。
蓄電体収容部２００の辺のうち、折り曲げ部５０に沿う辺を、「第１縦辺Ｘ２１」とする。第１縦辺Ｘ２１に平行で対向する辺を「第２縦辺Ｘ２２」とする。
第１縦辺Ｘ２１の一端と、第２縦辺Ｘ２２の一端とをつなぐ辺を、「第１横辺Ｙ２１」とする。第１縦辺Ｘ２１の他端と、第２縦辺Ｘ２２の他端とをつなぐ辺を、「第２横辺Ｙ２２」とする。
図１，図２Ａに示す例では、蓄電体収容部２００は長方形になっているので、第１縦辺Ｘ２１及び第２縦辺Ｘ２２が長辺となっており、第１横辺Ｙ２１及び第２横辺Ｙ２２が短辺となっている。
【００３８】
＜蓄電体保持ケースの詳細構成＞
蓄電体保持ケースＣ１の詳細構造を、図１〜図３Ｄを参照して説明する。
蓄電体収容部１００の表面Ｓｓ１には、溶着部保持溝１１１と、フィルム保持溝１１２と、端子保持溝１１３が形成されている（図１，図２Ａ参照）。
【００３９】
溶着部保持溝１１１は、矩形の貫通孔１０１の周囲を囲む状態で形成された、枠形状の溝である。この溶着部保持溝１１１の位置・大きさ・深さは、ラミネート型蓄電体１０の蓄電要素部αを貫通孔１０１に嵌入したときに、ラミネート型蓄電体１０の溶着部βが嵌入することができる位置・大きさ・深さになっている。
【００４０】
溶着部保持溝１１１から第１横辺Ｙ１１に向かって、長方形状のフィルム保持溝１１２と長方形状の端子保持溝１１３が順に形成されている。また溶着部保持溝１１１から第２横辺Ｙ１２に向かって、長方形状のフィルム保持溝１１２と長方形状の端子保持溝１１３が順に形成されている。フィルム保持溝１１２と端子保持溝１１３は、横辺Ｙ１１，Ｙ１２の辺に沿う方向に関して、横辺Ｙ１１，Ｙ１２の中央位置に位置している。
【００４１】
フィルム保持溝１１２の位置・大きさ・深さは、ラミネート型蓄電体１０の蓄電要素部αを貫通孔１０１に嵌入したときに、ラミネート型蓄電体１０の樹脂フィルム１４が嵌入することができる位置・大きさ・深さになっている。
端子保持溝１１３の位置・大きさ・深さは、ラミネート型蓄電体１０の蓄電要素部αを貫通孔１０１に嵌入したときに、ラミネート型蓄電体１０の端子１３ａ，１３ｂが嵌入することができる位置・大きさ・深さになっている。
【００４２】
溝１１１，１１２，１１３の深さに関しては、溶着部保持溝１１１が最も深く、溶着部保持溝１１１よりもフィルム保持溝１１２が浅く、フィルム保持溝１１２よりも端子保持溝１１３が浅くなっている。各溝相互間の深さの差は、それぞれ数百μｍ程度になっている。
各溝相互間の深さの差は、ラミネート型蓄電体１０の蓄電要素部α、樹脂フィルム１４及び端子１３ａ，１３ｂの厚さに対応して決定している。
【００４３】
蓄電体収容部２００の表面Ｓｓ２には、溶着部保持溝２１１と、フィルム保持溝２１２と、端子保持溝２１３が形成されている（図１，図２Ａ参照）。
【００４４】
溶着部保持溝２１１は、矩形の貫通孔２０１の周囲を囲む状態で形成された、枠形状の溝である。この溶着部保持溝２１１の位置・大きさ・深さは、ラミネート型蓄電体１０の蓄電要素部αを貫通孔２０１に嵌入したときに、ラミネート型蓄電体１０の溶着部βが嵌入することができる位置・大きさ・深さになっている。
【００４５】
溶着部保持溝２１１から第１横辺Ｙ２１に向かって、長方形状のフィルム保持溝２１２と長方形状の端子保持溝２１３が順に形成されている。また溶着部保持溝２１１から第２横辺Ｙ２２に向かって、長方形状のフィルム保持溝２１２と長方形状の端子保持溝２１３が順に形成されている。フィルム保持溝２１２と端子保持溝２１３は、横辺Ｙ２１，Ｙ２２の辺に沿う方向に関して、横辺Ｙ２１，Ｙ２２の中央位置に位置している。
【００４６】
フィルム保持溝２１２の位置・大きさ・深さは、ラミネート型蓄電体１０の蓄電要素部αを貫通孔２０１に嵌入したときに、ラミネート型蓄電体１０の樹脂フィルム１４が嵌入することができる位置・大きさ・深さになっている。
端子保持溝２１３の位置・大きさ・深さは、ラミネート型蓄電体１０の蓄電要素部αを貫通孔２０１に嵌入したときに、ラミネート型蓄電体１０の端子１３ａ，１３ｂが嵌入することができる位置・大きさ・深さになっている。
【００４７】
溝２１１，２１２，２１３の深さに関しては、溶着部保持溝２１１が最も深く、溶着部保持溝２１１よりもフィルム保持溝２１２が浅く、フィルム保持溝２１２よりも端子保持溝２１３が浅くなっている。各溝相互間の深さの差は、それぞれ数百μｍ程度になっている。
各溝相互間の深さの差は、ラミネート型蓄電体１０の蓄電要素部α、樹脂フィルム１４及び端子１３ａ，１３ｂの厚さに対応して決定している。
【００４８】
図３Ａは図２ＡのＡ−Ａ断面図とその要部図、図３Ｂは図２ＡのＢ−Ｂ断面図とその要部図、図３Ｃは図２ＡのＣ−Ｃ断面図とその要部図、図３Ｄは図２ＡのＤ−Ｄ断面図とその要部図である。なお、各要部図では理解を容易にするため、寸法を誇張して示している。
【００４９】
図３Ａに示すように、蓄電体保持ケースＣ１の表面Ｓｓ１から溶着部保持溝１１１の溝底面までの深さをＬ６とし、図３Ｂに示すように、蓄電体保持ケースＣ１の表面Ｓｓ１からフィルム保持溝１１２の溝底面までの長さをＬ７とし、図３Ｃに示すように、蓄電体保持ケースＣ１の表面Ｓｓ１の表面から端子保持溝１１３の溝底面までの長さをＬ８とする。
このとき、Ｌ６＞Ｌ７＞Ｌ８の関係が成立している。
【００５０】
図３Ａ〜図３Ｄは蓄電体収容部１００の各部の断面図であるが、蓄電体収容部２００においても、溝２１１，２１２，２１３相互の深さの関係は、溝１１１，１１２，１１３相互の深さの関係と同様になっている。
【００５１】
ケース連結部６０は、蓄電体収容部１００の第２横辺Ｙ１２に沿い備えたオスロック６１と、蓄電体収容部１００の表面Ｓｓ１のうち第１横辺Ｙ１１に沿い備えたメスロック６２により構成されている（図１，図２Ａ，図２Ｂ，図２Ｃ参照）。
【００５２】
オスロック６１は、折り曲げ部５１を介して、蓄電体収容部１００の第２横辺Ｙ１２に連結・接続されている。折り曲げ部５１は、蓄電体収容部１００に対して、厚さが極めて薄くなっており、折り曲げ部５１の部分で、蓄電体収容部１００に対してオスロック６１を折り曲げていくことができる。
【００５３】
このオスロック６１は、第２横辺Ｙ１２の辺に沿う方向に関して、第２横辺Ｙ１２と同じ長さの長方形状のロック板６１ａと、ロック板６１ａの先端部（第２横辺Ｙ１２とは反対側の部分）に形成した鉤部６１ｂとにより構成されている。鉤部６１ｂは、第２横辺Ｙ１２に対して並行であり、且つ、ロック板６１ａの面に対して直交している。
オスロック６１の表面Ｓｓ１側には、蓄電体収容部１００に形成した端子保持溝１１３に連続する状態で、端子保持溝１１３が形成されている。
【００５４】
オスロック６１のロック板６１ａの厚さをＬ１とし、ロック板６１ａの短辺の長さをＬ５とする（図２Ｂ，図２Ｃ参照）。また、蓄電体収容部１００及び蓄電体収容部２００のそれぞれの厚さをＬ４とする（図２Ｅ参照）。
このとき、Ｌ５＝Ｌ４×２なるように、ロック板６１ａの短辺の長さを設定している。
【００５５】
メスロック６２は、蓄電体収容部１００の表面Ｓｓ１のうち第１横辺Ｙ１１に沿う部分に直線状に伸びて形成された溝である。このメスロック６２は、オスロック６１の鉤部６１ｂの断面形状に対して、凹凸が反転した断面形状になっている。つまり、メスロック６２には、オスロック６１の鉤部６１ｂが緊密に嵌入して係合できる形状になっている。
【００５６】
詳細は後述するが、例えば、蓄電体収容部１００，２００を閉じた状態の第１（♯１）の蓄電体保持ケースＣ１と、蓄電体収容部１００，２００を閉じた状態の第２（♯２）の蓄電体保持ケースＣ１と、蓄電体収容部１００，２００を閉じた状態の第３（♯３）の蓄電体保持ケースＣ１を重ねて積んだ状態のときに、♯１の蓄電体保持ケースＣ１のオスロック６１の鉤部６１ｂを♯２の蓄電体保持ケースＣ１のメスロック６２に係合させ、♯２の蓄電体保持ケースＣ１のオスロック６１の鉤部６１ｂを♯３の蓄電体保持ケースＣ１のメスロック６２に係合させることにより、３つ（♯１〜♯３）の蓄電体保持ケースＣ１を連結することができる。
【００５７】
前述したように蓄電体収容部１００と蓄電体収容部２００は、折り曲げ部５０を介して、連結・接続されているが、第１縦辺Ｘ１１，Ｘ２１に沿う方向に関しては、位置ずれして連結・接続されている。
図２Ａを参照して説明すると、第１縦辺Ｘ１１，Ｘ２１に沿う方向に関して、蓄電体収容部１００の第１横辺Ｙ１１は蓄電体収容部２００の第１横辺Ｙ２１に対して右にＬ３だけ位置ずれし、蓄電体収容部１００の第２横辺Ｙ１２は蓄電体収容部２００の第２横辺Ｙ２２に対して右にＬ４だけ位置ずれしている。ロック板６１ａの厚さはＬ１であり、Ｌ１＝Ｌ３＝Ｌ４となるようにしている。つまりオスロック６１のロック板６１ａの厚さ分だけ、蓄電体収容部１００は蓄電体収容部２００に対して右にずれている。
【００５８】
＜蓄電体保持ケースの使用態様＞
上記構成となっている蓄電体保持ケースＣ１の使用態様を、図１，図２Ａ，図４を参照しつつ説明する。
つまりラミネート型蓄電体１０を蓄電体保持ケースＣ１により挟み込んで保持する態様と、ラミネート型蓄電体１０を挟み込んだ複数の蓄電体保持ケースＣ１を重ねて複数の蓄電体保持ケースＣ１を機械的に連結すると共に、複数のラミネート型蓄電体１０を電気的に接続する態様を説明する。
【００５９】
まず、図１及び図２Ａに示すように、蓄電体収容部１００と蓄電体収容部２００とが開いて蓄電体保持ケースＣ１が全体として一つの面状になっている状態にする。
次に、例えば蓄電体収容部１００の貫通孔１０１に、ラミネート型蓄電体１０の蓄電要素部αが嵌入し、端子１３ａが第１横辺Ｙ１１に交差し、端子１３ｂが第２横辺Ｙ１２に交差する状態になるように、ラミネート型蓄電体１０を蓄電体収容部１００の表面Ｓｓ１側に載せる。
【００６０】
この状態で、折り曲げ部５０の位置で折り曲げて、蓄電体収容部２００を蓄電体収容部１００側に閉じていくことにより、蓄電体収容部１００と蓄電体収容部２００とにより、ラミネート型蓄電体１０を挟み込んで保持することができる。
このとき、ラミネート型蓄電体１０の蓄電要素部αの表面側及び裏面側は貫通孔１０１及び貫通孔２０１に嵌入し、ラミネート型蓄電体１０の溶着部βの表面側及び裏面側は溶着部保持溝１１１及び溶着部保持溝２１１に密着し、樹脂フィルム１４の表面側及び裏面側はフィルム保持溝１１２及びフィルム保持溝２１２に密着し、端子１３ａ，１３ｂの表面側及び裏面側は端子保持溝１１３及び端子保持溝２１３に密着する。
【００６１】
したがって、蓄電体収容部１００と蓄電体収容部２００とにより、ラミネート型蓄電体１０を挟み込むことにより、ラミネート型蓄電体１０を自立状態で保持することができる。
【００６２】
なお上記の説明では、ラミネート型蓄電体１０を蓄電体収容部１００の表面Ｓｓ１側に載せ、次に蓄電体収容部２００を閉じていったが、逆に、ラミネート型蓄電体１０を蓄電体収容部２００の表面Ｓｓ２側に載せ、次に蓄電体収容部１００を閉じていくようにしてもよい。
【００６３】
このようにして、蓄電体収容部１００と蓄電体収容部２００とによりラミネート型蓄電体１０を挟み込んだ複数の蓄電体保持ケースＣ１を連結する態様を、図４を参照して説明する。
【００６４】
図４に示すように、蓄電体収容部１００と蓄電体収容部２００とによりラミネート型蓄電体１０を挟み込んだ蓄電体保持ケースＣ１が３つある場合に、それらを、第１（♯１）〜第３（♯３）の蓄電体保持ケースＣ１とする。
【００６５】
♯１〜♯３の蓄電体保持ケースＣ１において、折り曲げ部５１の部分でオスロック６１を折り曲げ、オスロック６１を第２横辺Ｙ１２，Ｙ２２側で立てる。このようにすることにより、オスロック６１のロック板６１ａが端子１３ｂを押していき、端子１３ｂも一緒に折り曲げられ、図４において端子１３ｂの折り曲げ部分は下方に向かって伸びる。
また、♯１〜♯３において、逆側の端子１３ａを折り曲げ、図４において端子１３ａの折り曲げ部分を上方に向かって伸ばす。
【００６６】
♯３の蓄電体保持ケースＣ１の上に♯２の蓄電体保持ケースＣ１を重ねて載せ、♯２の蓄電体保持ケースＣ１の上に♯１の蓄電体保持ケースＣ１を重ねて載せる。
【００６７】
このとき、♯１と♯３の蓄電体保持ケースＣ１，Ｃ１では、オスロック６１が備えられている第２横辺Ｙ１２，Ｙ２２が左側になり第１横辺Ｙ１１，Ｙ２１が右側になるように位置させ、♯２の蓄電体保持ケースＣ１では、オスロック６１が備えられている第２横辺Ｙ１２，Ｙ２２が右側になり第１横辺Ｙ１１，Ｙ２１が左側になるように位置させる。
つまり、下側の蓄電体保持ケースＣ１の第１横辺Ｙ１１，Ｙ２１の上に、上側の蓄電体保持ケースＣ１の第２横辺Ｙ１２，Ｙ２２が位置し、下側の蓄電体保持ケースＣ１の第２横辺Ｙ１２，Ｙ２２の上に、上側の蓄電体保持ケースＣ１の第１横辺Ｙ１１，Ｙ２１が位置するように配置する。
【００６８】
上述したようにして♯１〜♯３の蓄電体保持ケースＣ１を積み重ねた後に、♯１の蓄電体保持ケースＣ１のオスロック６１の鉤部６１ｂを、♯２の蓄電体保持ケースＣ１のメスロック６２に嵌入して係合させる。これにより♯１と♯２の蓄電体保持ケースＣ１，Ｃ１が機械的に連結する。
【００６９】
同時に、♯１の蓄電体保持ケースＣ１で挟持されたラミネート型蓄電体１０の端子１３ｂと、♯２の蓄電体保持ケースＣ１で挟持されたラミネート型蓄電体１０の端子１３ａとが重なった状態でオスロック６１により押えられて、両端子１３ｂ，１３ａが電気的に接続される。この場合、絶縁体であるオスロック６１を押し込んでいくだけで、端子１３ｂ，１３ａを電気的に接続できるため、端子接続を安全に行うことができる。また端子接続のための特別な部品や機具（ビスや金具等の補助具）は不要である。
【００７０】
このとき、♯２の蓄電体保持ケースＣ１において、蓄電体収容部１００がオスロック６１の厚さＬ１に相当する分だけ、蓄電体収容部２００に対して右にずれているため、♯１の蓄電体保持ケースＣ１のオスロック６１の鉤部６１ｂを、♯２の蓄電体保持ケースＣ１のメスロック６２に嵌入して係合させても、左側端面においてオスロック６１が突出することはない。
【００７１】
次に、♯２の蓄電体保持ケースＣ１のオスロック６１の鉤部６１ｂを、♯３の蓄電体保持ケースＣ１のメスロック６２に嵌入して係合させる。これにより♯２と♯３の蓄電体保持ケースＣ１，Ｃ１が機械的に連結する。
【００７２】
同時に、♯２の蓄電体保持ケースＣ１で挟持されたラミネート型蓄電体１０の端子１３ｂと、♯３の蓄電体保持ケースＣ１で挟持されたラミネート型蓄電体１０の端子１３ａとが重なった状態でオスロック６１により押えられて、両端子１３ｂ，１３ａが電気的に接続される。この場合、絶縁体であるオスロック６１を押し込んでいくだけで、端子１３ｂ，１３ａを電気的に接続できるため、端子接続を安全に行うことができる。また端子接続のための特別な部品や機具（ビスや金具等の補助具）は不要である。
【００７３】
このとき、♯３の蓄電体保持ケースＣ１において、蓄電体収容部１００がオスロック６１の厚さＬ１に相当する分だけ、蓄電体収容部２００に対して左にずれているため、♯２の蓄電体保持ケースＣ１のオスロック６１の鉤部６１ｂを、♯３の蓄電体保持ケースＣ１のメスロック６２に嵌入して係合させても、右側端面においてオスロック６１が突出することはない。
【００７４】
このようにして♯１〜♯３の３つの蓄電体保持ケースＣ１，Ｃ１，Ｃ１を、簡易的ではあるが機械的に連結することができると共に、♯１〜♯３の３つの蓄電体保持ケースＣ１，Ｃ１，Ｃ１に挟持されている３つのラミネート型蓄電体１０，１０，１０を電気的に直列接続して所定の電圧にすることができる。
【００７５】
このように、ラミネート型蓄電体１０，１０，１０を挟持した♯１〜♯３の３つの蓄電体保持ケースＣ１，Ｃ１，Ｃ１を連結したセットを、簡単な構造の金具等を用いて一括で固定するだけで、所定の電圧となった蓄電体ユニットとして保持でき、最終的な筐体等への組み付けを容易に行うことができる。
【００７６】
〔実施例２〕
実施例２に係る蓄電体保持ケースＣ２を、図５〜図１０を参照して説明する。
【００７７】
＜蓄電体保持ケースの概略構成＞
蓄電体保持ケースＣ２の概略構成を、図５〜図７Ｅを参照して説明する。なお、図５は表面側から見た斜視図、図６は裏面側から見た斜視図、図７Ａは正面図、図７Ｂは上面図、図７Ｃは下面図、図７Ｄは左側面図、図７Ｅは右側面図である。
【００７８】
蓄電体保持ケースＣ２は、例えば、熱可塑性の合成樹脂を金型内に注入して成形する射出成形等により、全体を一体的に形成したものである。単一の構造体である蓄電体保持ケースＣ２は、矩形状（本例では長方形状）の第１の蓄電体収容部３００と、矩形状（本例では長方形状）の第２の蓄電体収容部４００と、直線状の折り曲げ部５２，５３，５４と、ケース連結部７０と、ケース閉じ部８０と、端子ガイド部９０を主要部材としている。
そして第１の蓄電体収容部３００の一つの長辺と、第２の蓄電体収容部４００の一つの長辺とが、折り曲げ部５２により連結・接続された構成となっている。
蓄電体保持ケースＣ２は、合成樹脂等により形成したものであるため、全体が絶縁体により形成された絶縁構造物である。
【００７９】
蓄電体収容部３００の中央部分には、矩形状の貫通孔３０１が形成されている。貫通孔３０１の大きさは、ラミネート型蓄電体１０の蓄電要素部αが嵌入できる大きさ及び形状になっている。このように、矩形状の蓄電体収容部３００に矩形状の貫通孔３０１が形成されることにより、蓄電体収容部３００は、貫通孔３０１を含めて全体的に見ると四角枠状になっている。
蓄電体収容部４００の中央部分には、矩形状の貫通孔４０１が形成されている。貫通孔４０１の大きさは、ラミネート型蓄電体１０の蓄電要素部αが嵌入できる大きさ及び形状になっている。このように、矩形状の蓄電体収容部４００に矩形状の貫通孔４０１が形成されることにより、蓄電体収容部４００は、貫通孔４０１を含めて全体的に見ると四角枠状になっている。
【００８０】
折り曲げ部５２は、蓄電体収容部３００，４００に対して、厚さが極めて薄くなっている。このため、折り曲げ部５２の位置で折り曲げて、蓄電体収容部３００と蓄電体収容部４００とを閉じていって対面させることができる。
【００８１】
＜蓄電体収容部の面及び辺の定義＞
蓄電体保持ケースＣ２の詳細構造を説明する際に理解が容易になるように、予め、蓄電体収容部３００，４００の面及び辺を次のように定義しておく。
【００８２】
図５及び図７Ａに示すように、蓄電体収容部３００と蓄電体収容部４００とが開いて蓄電体保持ケースＣ２が全体として一つの面状になっている状態において、視認できる広い面を「表面」とする。具体的には、図５及び図７Ａに示す状態において、蓄電体収容部３００において視認できる広い面を「表面Ｓｓ３」とし、蓄電体収容部４００において視認できる広い面を「表面Ｓｓ４」とする。
換言すると、折り曲げ部５２の位置で折り曲げて、蓄電体収容部３００と蓄電体収容部４００とを閉じていったときに、お互いに対面する面が、表面Ｓｓ３，Ｓｓ４である。
【００８３】
蓄電体収容部３００のうち、表面Ｓｓ３とは反対側の面（図６において視認できる広い面）を「裏面Ｓｒ３」とする。蓄電体収容部４００のうち、表面Ｓｓ４とは反対側の面（図６において視認することができる広い面）を「裏面Ｓｒ４」とする。
【００８４】
蓄電体収容部３００は、前述したように、全体的には四角枠状になっている。つまり、蓄電体収容部３００の外周面は４つの辺により構成されている。
蓄電体収容部３００の辺のうち、折り曲げ部５２に沿う辺を、「第１縦辺Ｘ３１」とする。第１縦辺Ｘ３１に平行で対向する辺を「第２縦辺Ｘ３２」とする。
第１縦辺Ｘ３１の一端と、第２縦辺Ｘ３２の一端とをつなぐ辺を、「第１横辺Ｙ３１」とする。第１縦辺Ｘ３１の他端と、第２縦辺Ｘ３２の他端とをつなぐ辺を、「第２横辺Ｙ３２」とする。
図５，図６，図７Ａに示す例では、蓄電体収容部３００は長方形になっているので、第１縦辺Ｘ３１及び第２縦辺Ｘ３２が長辺となっており、第１横辺Ｙ３１及び第２横辺Ｙ３２が短辺となっている。
【００８５】
蓄電体収容部４００は、前述したように、全体的には四角枠状になっている。つまり、蓄電体収容部４００の外周面は４つの辺により構成されている。
蓄電体収容部４００の辺のうち、折り曲げ部５２に沿う辺を、「第１縦辺Ｘ４１」とする。第１縦辺Ｘ４１に平行で対向する辺を「第２縦辺Ｘ４２」とする。
第１縦辺Ｘ４１の一端と、第２縦辺Ｘ４２の一端とをつなぐ辺を、「第１横辺Ｙ４１」とする。第１縦辺Ｘ４１の他端と、第２縦辺Ｘ４２の他端とをつなぐ辺を、「第２横辺Ｙ４２」とする。
図５，図６，図７Ａに示す例では、蓄電体収容部４００は長方形になっているので、第１縦辺Ｘ４１及び第２縦辺Ｘ４２が長辺となっており、第１横辺Ｙ４１及び第２横辺Ｙ４２が短辺となっている。
【００８６】
＜蓄電体保持ケースの詳細構成＞
蓄電体保持ケースＣ２の詳細構造を、図５〜図８Ｄを参照して説明する。なお、図８Ａは図７ＡのＡ−Ａ断面図、図８Ｂは図７ＡのＢ−Ｂ断面図、図８Ｃは図７ＡのＣ−Ｃ断面図、図８Ｄは図７ＡのＤ−Ｄ断面図である。
【００８７】
蓄電体収容部３００の表面Ｓｓ３には、溶着部保持溝３１１と、フィルム保持溝３１２と、端子保持溝３１３が形成されている（図５，図７Ａ参照）。
【００８８】
溶着部保持溝３１１は、矩形の貫通孔３０１の周囲の２箇所に配置して形成された、コの字状の２つの溝である。つまり、貫通孔３０１の周囲のうち、第１横辺Ｙ３１に沿う部分の中央部、及び、第２横辺Ｙ３２に沿う部分の中央部、を除く部分に溶着部保持溝３１１が形成されている。
この溶着部保持溝３１１の位置・大きさ・深さは、ラミネート型蓄電体１０の蓄電要素部αを貫通孔３０１に嵌入したときに、ラミネート型蓄電体１０の溶着部βが嵌入することができる位置・大きさ・深さになっている。
【００８９】
貫通孔３０１から第１横辺Ｙ３１に向かって、長方形状のフィルム保持溝３１２と長方形状の端子保持溝３１３が順に形成されている。また貫通孔３０１から第２横辺Ｙ３２に向かって、長方形状のフィルム保持溝３１２と長方形状の端子保持溝３１３が順に形成されている。フィルム保持溝３１２と端子保持溝３１３は、横辺Ｙ３１，Ｙ３２の辺に沿う方向に関して、横辺Ｙ３１，Ｙ３２の中央位置に位置している。
【００９０】
フィルム保持溝３１２の位置・大きさ・深さは、ラミネート型蓄電体１０の蓄電要素部αを貫通孔３０１に嵌入したときに、ラミネート型蓄電体１０の樹脂フィルム１４が嵌入することができる位置・大きさ・深さになっている。
端子保持溝３１３の位置・大きさ・深さは、ラミネート型蓄電体１０の蓄電要素部αを貫通孔３０１に嵌入したときに、ラミネート型蓄電体１０の端子１３ａ，１３ｂが嵌入することができる位置・大きさ・深さになっている。
【００９１】
溝３１１，３１２，３１３の深さに関しては、フィルム保持溝３１２が最も深く、フィルム保持溝３１２よりも端子保持溝３１３が浅く、端子保持溝３１３よりも溶着部保持溝３１１が浅くなっている。各溝相互間の深さの差は、それぞれ数百μｍ程度になっている。
各溝相互間の深さの差は、ラミネート型蓄電体１０の蓄電要素部α、樹脂フィルム１４及び端子１３ａ，１３ｂの厚さに対応して決定している。
【００９２】
蓄電体収容部４００の表面Ｓｓ４には、溶着部保持溝４１１と、フィルム保持溝４１２と、端子保持溝４１３が形成されている（図５，図７Ａ参照）。
【００９３】
溶着部保持溝４１１は、矩形の貫通孔４０１の周囲の２箇所に配置して形成された、コの字状の２つの溝である。つまり、貫通孔４０１の周囲のうち、第１横辺Ｙ４１に沿う部分の中央部、及び、第２横辺Ｙ４２に沿う部分の中央部、を除く部分に溶着部保持溝４１１が形成されている。
この溶着部保持溝４１１の位置・大きさ・深さは、ラミネート型蓄電体１０の蓄電要素部αを貫通孔４０１に嵌入したときに、ラミネート型蓄電体１０の溶着部βが嵌入することができる位置・大きさ・深さになっている。
【００９４】
貫通孔４０１から第１横辺Ｙ４１に向かって、長方形状のフィルム保持溝４１２と長方形状の端子保持溝４１３が順に形成されている。また貫通孔４０１から第２横辺Ｙ４２に向かって、長方形状のフィルム保持溝４１２と長方形状の端子保持溝４１３が順に形成されている。フィルム保持溝４１２と端子保持溝４１３は、横辺Ｙ４１，Ｙ４２の辺に沿う方向に関して、横辺Ｙ４１，Ｙ４２の中央位置に位置している。
【００９５】
フィルム保持溝４１２の位置・大きさ・深さは、ラミネート型蓄電体１０の蓄電要素部αを貫通孔４０１に嵌入したときに、ラミネート型蓄電体１０の樹脂フィルム１４が嵌入することができる位置・大きさ・深さになっている。
端子保持溝４１３の位置・大きさ・深さは、ラミネート型蓄電体１０の蓄電要素部αを貫通孔４０１に嵌入したときに、ラミネート型蓄電体１０の端子１３ａ，１３ｂが嵌入することができる位置・大きさ・深さになっている。
【００９６】
溝４１１，４１２，４１３の深さに関しては、フィルム保持溝４１２が最も深く、フィルム保持溝４１２よりも端子保持溝４１３が浅く、端子保持溝４１３よりも溶着部保持溝４１１が浅くなっている。各溝相互間の深さの差は、それぞれ数百μｍ程度になっている。
各溝相互間の深さの差は、ラミネート型蓄電体１０の蓄電要素部α、樹脂フィルム１４及び端子１３ａ，１３ｂの厚さに対応して決定している。
【００９７】
ケース連結部７０は、蓄電体収容部３００の第１横辺Ｙ３１に沿い備えたオスロック７１と、蓄電体収容部４００の裏面Ｓｒ４おいて第２横辺Ｙ４２に沿い形成されたメスロック７２により構成されている。（図５，図６，図７Ａ，図８Ａ〜図８Ｃ参照）。
【００９８】
オスロック７１は、折り曲げ部５３を介して、蓄電体収容部３００の第１横辺Ｙ３１に連結・接続されている。折り曲げ部５３は、蓄電体収容部３００に対して、厚さが極めて薄くなっており、折り曲げ部５３の部分で、蓄電体収容部３００に対してオスロック７１を折り曲げていくことができる。
【００９９】
このオスロック７１は、第１横辺Ｙ３１の辺に沿う方向に関して、第１横辺Ｙ３１と略同じ長さの長方形状のロック板７１ａと、ロック板７１ａの先端部（第１横辺Ｙ３１とは反対側の部分）に形成した鉤部７１ｂとにより構成されている。鉤部７１ｂは、第１横辺Ｙ３１に対して並行であり、且つ、ロック板７１ａの面に対して直交している。
【０１００】
メスロック７２は、蓄電体収容部４００の裏面Ｓｒ４のうち第２横辺Ｙ４２に沿う部分に直線状に伸びて形成された溝である。なお、メスロック７２は、後述するケース連結突起９２が第２横辺Ｙ４２に沿い配置されることにより形成された溝である。
オスロック７１の鉤部７１ｂが、メスロック７２に嵌入してメスロック７２（ケース連結突起９２）に係合できるようになっている。
【０１０１】
詳細は後述するが、例えば、蓄電体収容部３００，４００を閉じた状態の第１（♯２１）の蓄電体保持ケースＣ２と、蓄電体収容部３００，４００を閉じた状態の第２（♯２２）の蓄電体保持ケースＣ２と、蓄電体収容部３００，４００を閉じた状態の第３（♯２３）の蓄電体保持ケースＣ２を重ねて積んだ状態のときに、♯２１の蓄電体保持ケースＣ２のオスロック７１の鉤部７１ｂを♯２２の蓄電体保持ケースＣ２のメスロック７２に係合させ、♯２２の蓄電体保持ケースＣ２のオスロック７１の鉤部７１ｂを♯２３の蓄電体保持ケースＣ２のメスロック７２に係合させることにより、３つ（♯２１〜♯２３）の蓄電体保持ケースＣ２を連結することができる。
【０１０２】
ケース閉じ部８０は、蓄電体収容部３００の第２縦辺Ｘ３２に沿い備えたオスロック８１と、蓄電体収容部４００の裏面Ｓｒ４において第２縦辺Ｘ４２に沿い形成されたメスロック８２により構成されている。（図５，図６，図７Ａ，図７Ｅ，図８Ｄ参照）。
【０１０３】
オスロック８１は、折り曲げ部５４を介して、蓄電体収容部３００の第２横辺Ｘ３２に連結・接続されている。折り曲げ部５４は、蓄電体収容部３００に対して、厚さが極めて薄くなっており、折り曲げ部５４の部分で、蓄電体収容部３００に対してオスロック８１を折り曲げていくことができる。
【０１０４】
このオスロック８１は、第２縦辺Ｘ３２の辺に沿う方向に関して、第２縦辺Ｘ３２と略同じ長さの長方形状のロック板８１ａと、ロック板８１ａの先端部（第２縦辺Ｘ３２とは反対側の部分）に形成した鉤部８１ｂとにより構成されている（図７Ｄ，図７Ｅ参照）。鉤部８１ｂは、第２縦辺Ｘ３２に対して並行であり、且つ、ロック板８１ａの面に対して直交している。
【０１０５】
蓄電体保持ケースＣ２の蓄電体収容部３００，４００を閉じた状態において、ケース閉じ部８０のオスロック８１を折り曲げ部５４の位置で折り曲げて、ロック板８１ａの鉤部８１ｂを、メスロック８２に嵌入して係合させることにより、蓄電体保持ケースＣ２を閉じることができる。
これにより、蓄電体収容部３００，４００を閉じてラミネート型蓄電体１０を挟んだ状態においても、ロック板８１ａの鉤部８１ｂを、メスロック８１ｃに嵌入して係合させることにより、蓄電体保持ケースＣ２を確実に閉じた状態で保持することができる。
【０１０６】
端子ガイド部９０は、蓄電体収容部４００の第２横辺Ｙ４２に沿い伸びて形成されている。この端子ガイド部９０は、断面形状が矩形になっている柱状の端子折り曲げ突部９１と、断面形状が矩形になっている柱状のケース連結突部９２を有している。
端子折り曲げ突部９１は、第２横辺Ｙ４２に沿い伸び、且つ、表面Ｓｓ４よりも僅かに高くなるように突出している。
ケース連結突部９２は、第２横辺Ｙ４２に沿い伸び、且つ、裏面Ｓｒ４側に突出している。このようにケース連結突部９２が突出していることにより、溝であるメスロック７２が第２横辺Ｙ４２に沿い形成されるのである。
【０１０７】
次に蓄電体保持ケースＣ２の各部分の詳細な位置関係や寸法関係について説明する。
蓄電体収容部３００の第２横辺Ｙ３２においては、その中央部分が、その両端部分に対して貫通孔３０１側に凹んでいる。この凹み寸法は、ラミネート型蓄電体１０の端子１３ａ，１３ｂの厚さに相当する寸法にしている。
蓄電体収容部４００の第１横辺Ｙ４１においては、その中央部分が、その両端部分に対して貫通孔４０１側に凹んでいる。この凹み寸法は、ラミネート型蓄電体１０の端子１３ａ，１３ｂの厚さに相当する寸法にしている。
【０１０８】
蓄電体収容部４００に備えた端子ガイド部９０の端子折り曲げ突部９１のうち第２横辺Ｙ４２に沿う直線状の辺（図７Ａでは第２横辺Ｙ４２に沿う縦の直線部分）と、蓄電体収容部３００の第２横辺Ｙ３２の両端部分は、直線状に並んでいる。
このため、折り曲げ部５２の部分で折り曲げて蓄電体収容部３００，４００を閉じていくと、端子折り曲げ突部９１と、蓄電体収容部４００の第２横辺Ｙ３２とが摺動していく。蓄電体収容部３００，４００の閉じ込みが完了したときには、端子折り曲げ突部９１のうち第２横辺Ｙ４２に沿う直線状の辺と、蓄電体収容部３００の第２横辺Ｙ３２の両端部分とは、接触した状態になる（図９参照）。
【０１０９】
ケース連結部７０におけるオスロック７１のロック板７１ａの厚さをＬ１０とする（図７Ｃ参照）。オスロック７１を折り曲げるための折り曲げ部５３と、蓄電体収容部３００の第１横軸Ｙ３１との寸法をＬ１１とする（図７Ａ参照）。このとき、Ｌ１０＝Ｌ１１としている。
【０１１０】
ケース連結部７０におけるオスロック７１の短辺の長さをＬ１２とする（図７Ａ参照）。蓄電体収容部３００，４００の厚さをＬ１４とする（図７Ｄ，図７Ｅ参照）。このとき、Ｌ１２＝３×Ｌ１４としている。
【０１１１】
ケース閉じ部８０におけるオスロック８１のロック板８１ａの短辺の長さをＬ１３とする（図７Ｅ参照）。このときＬ１４＝Ｌ１３＋Ｌ１５としている（図７Ｄ参照）。
【０１１２】
＜蓄電体保持ケースの使用態様＞
上記構成となっている蓄電体保持ケースＣ２の使用態様を、図５，図７Ａ，図９，図１０を参照しつつ説明する。
つまりラミネート型蓄電体１０を蓄電体保持ケースＣ２により挟み込んで保持する態様と、ラミネート型蓄電体１０を挟み込んだ複数の蓄電体保持ケースＣ２を重ねて複数の蓄電体保持ケースＣ２を機械的に連結すると共に、複数のラミネート型蓄電体１０を電気的に接続する態様を説明する。
なお図９及び図１０では、各蓄電体保持ケースＣ２は、ラミネート型蓄電体１０を挟持した状態ではあるが、理解を容易にするため、ラミネート型蓄電体１０は図示していない。
【０１１３】
まず、図５及び図７Ａに示すように、蓄電体収容部３００と蓄電体収容部４００とが開いて蓄電体保持ケースＣ２が全体として一つの面状になっている状態にする。
次に、例えば蓄電体収容部３００の貫通孔３０１に、ラミネート型蓄電体１０の蓄電要素部αが嵌入し、端子１３ａが第１横辺Ｙ３１に交差し、端子１３ｂが第２横辺Ｙ３２に交差する状態になるように、ラミネート型蓄電体１０を蓄電体収容部３００の表面Ｓｓ３側に載せる。
【０１１４】
この状態で、折り曲げ部５２の位置で折り曲げて、蓄電体収容部４００を蓄電体収容部３００側に閉じていくことにより、蓄電体収容部３００と蓄電体収容部４００とにより、ラミネート型蓄電体１０を挟み込んで保持することができる。
このとき、ラミネート型蓄電体１０の蓄電要素部αの表面側及び裏面側は貫通孔３０１及び貫通孔４０１に嵌入し、ラミネート型蓄電体１０の溶着部βの表面側及び裏面側は溶着部保持溝３１１及び溶着部保持溝４１１に密着し、樹脂フィルム１４の表面側及び裏面側はフィルム保持溝３１２及びフィルム保持溝４１２に密着し、端子１３ａ，１３ｂの表面側及び裏面側は端子保持溝３１３及び端子保持溝４１３に密着する。
【０１１５】
蓄電体収容部４００を蓄電体収容部３００側に向かって閉じていく際には、蓄電体収容部４００の端子折り曲げ突部９１と、蓄電体収容部３００の第２横辺Ｙ３２とが摺動していくため、第２横辺Ｙ３２側に配置された端子１３ｂは、端子折り曲げ突部９１と第２横辺Ｙ３２との摺動部分において折り曲げられる。
図５及び図９の状態では、端子１３ｂのうち、閉じられた状態の蓄電体収容部３００，４００から外側にでている部分は下方に折り曲げられる。
【０１１６】
蓄電体保持ケースＣ２の蓄電体収容部３００，４００を閉じてラミネート型蓄電体１０を挟持した状態において、ケース閉じ部８０のオスロック８１を折り曲げ部５４の位置で折り曲げて、ロック板８１ａの鉤部８１ｂを、メスロック８２に嵌入して係合させる。これにより、ラミネート型蓄電体１０を挟み込んだ状態で蓄電体保持ケースＣ２の蓄電体収容部３００，４００を確実に閉じた状態で保持することができる。
【０１１７】
したがって、蓄電体収容部３００と蓄電体収容部４００とにより、ラミネート型蓄電体１０を挟み込み、ラミネート型蓄電体１０を自立状態で保持することができる。
また、ケース閉じ部８０により、蓄電体収容部３００と蓄電体収容部４００との閉じ状態を確保するため、蓄電体収容部３００と蓄電体収容部４００が意図せずに開いて、ラミネート型蓄電体１０が蓄電体保持ケースＣ２の外にこぼれ落ちるという不具合の発生を防止することができる。
【０１１８】
なお上記の説明では、ラミネート型蓄電体１０を蓄電体収容部３００の表面Ｓｓ３側に載せ、次に蓄電体収容部４００を閉じていったが、逆に、ラミネート型蓄電体１０を蓄電体収容部４００の表面Ｓｓ４側に載せ、次に蓄電体収容部３００を閉じていくようにしてもよい。
【０１１９】
このようにして、蓄電体収容部３００と蓄電体収容部４００とによりラミネート型蓄電体１０を挟み込んだ複数の蓄電体保持ケースＣ２を、積み重ねて連結する態様を、図１０を参照して説明する。
【０１２０】
図１０に示すように、蓄電体収容部３００と蓄電体収容部４００とによりラミネート型蓄電体１０を挟み込んだ蓄電体保持ケースＣ２が５つある場合に、それらを、第１（♯２１）〜第５（♯２５）の蓄電体保持ケースＣ２とする。
【０１２１】
また、♯２１〜♯２５の蓄電体保持ケースＣ２において、後述するようにケースＣ２同士を連結するために、折り曲げ部５３の部分でオスロック７１を折り曲げたとすると、ラミネート型蓄電体１０の端子１３ａも折り曲げられ第１横辺Ｙ３１，Ｙ４１側で折り曲げられて立った状態になる。つまり、オスロック７１のロック板７１ａが端子１３ａを押していき、端子１３ａも一緒に折り曲げられるのである。図１０において端子１３ａの折り曲げ部分は上方に向かって伸びることになる。
なお、♯２１〜♯２５において、逆側の端子１３ｂは、蓄電体収容部３００，４００を閉じていく際に下方に折り曲げられている。
【０１２２】
複数の蓄電体保持ケースＣ２を積み重ねて連結するためには、まず、♯２１の蓄電体保持ケースＣ２の上に、♯２２〜♯２５の蓄電体保持ケースＣ２を順に重ねて載せる。
【０１２３】
このとき、♯２１と♯２３と♯２５の蓄電体保持ケースＣ２，Ｃ２，Ｃ２では、オスロック７１が備えられている第１横辺Ｙ３１，Ｙ４１が右側になり、端子ガイド部９０が備えられている第２横辺Ｙ３２，Ｙ４２が左側になるように位置させ、♯２２と♯２４の蓄電体保持ケースＣ２，Ｃ２，では、オスロック７１が備えられている第１横辺Ｙ３１，Ｙ４１が左側になり、端子ガイド部９０が備えられている第２横辺Ｙ３２，Ｙ４２が右側になるように位置させる。
つまり、下側の蓄電体保持ケースＣ２の第１横辺Ｙ３１，Ｙ４１の上に、上側の蓄電体保持ケースＣ２の第２横辺Ｙ３２，Ｙ４２が位置し、下側の蓄電体保持ケースＣ２の第２横辺Ｙ３２，Ｙ４２の上に、上側の蓄電体保持ケースＣ２の第１横辺Ｙ３１，Ｙ４１が位置するように配置する。
【０１２４】
上述したようにして♯２１〜♯２５の蓄電体保持ケースＣ２を積み重ねた後に、♯２１の蓄電体保持ケースＣ２のオスロック７１の鉤部７１ｂを、♯２の蓄電体保持ケースＣ２のメスロック７２に嵌入して係合させる。これにより♯２１と♯２２の蓄電体保持ケースＣ２，Ｃ２が機械的に強く連結する。
また、♯２１の蓄電体保持ケースＣ２のオスロック７１を折り曲げていく際に、♯２１の端子１３ａが上向きに折り曲げられる。
【０１２５】
♯２１の蓄電体保持ケースＣ２のオスロック７１を折り曲げていくと、♯２１の蓄電体保持ケースＣ２で挟持されたラミネート型蓄電体１０の端子１３ａ（上向きに折り曲げられている）と、♯２２の蓄電体保持ケースＣ２で挟持されたラミネート型蓄電体１０の端子１３ｂ（下向きに折り曲げられている）とが重なった状態でオスロック７１により押えられて、両端子１３ａ，１３ｂが電気的に接続される。この場合、絶縁体であるオスロック７１を押し込んでいくだけで、端子１３ａ，１３ｂを電気的に接続できるため、端子接続を安全に行うことができる。また端子接続のための特別な部品や機具（ビスや金具等の補助具）は不要である。
【０１２６】
次に、♯２２の蓄電体保持ケースＣ２のオスロック７１の鉤部７１ｂを、♯３の蓄電体保持ケースＣ２のメスロック７２に嵌入して係合させる。これにより♯２２と♯２３の蓄電体保持ケースＣ２，Ｃ２が機械的に強く連結する。
また、♯２２の蓄電体保持ケースＣ２のオスロック７１を折り曲げていく際に、♯２２の端子１３ａが上向きに折り曲げられる。
【０１２７】
♯２２の蓄電体保持ケースＣ２のオスロック７１を折り曲げていくと、♯２２の蓄電体保持ケースＣ２で挟持されたラミネート型蓄電体１０の端子１３ａ（上向きに折り曲げられている）と、♯２３の蓄電体保持ケースＣ２で挟持されたラミネート型蓄電体１０の端子１３ｂ（下向きに折り曲げられている）とが重なった状態でオスロック７１により押えられて、両端子１３ａ，１３ｂが電気的に接続される。この場合、絶縁体であるオスロック７１を押し込んでいくだけで、端子１３ａ，１３ｂを電気的に接続できるため、端子接続を安全に行うことができる。また端子接続のための特別な部品や機具（ビスや金具等の補助具）は不要である。
【０１２８】
以降は同様にして、♯２３と♯２４、♯２４と♯２５を、機械的及び電気的に接続していく。
【０１２９】
このようにして♯２１〜♯２５の５つの蓄電体保持ケースＣ２，Ｃ２，Ｃ２，Ｃ２，Ｃ２を、機械的に強固に連結することができると共に、♯２１〜♯２５の５つの蓄電体保持ケースＣ２，Ｃ２，Ｃ２，Ｃ２，Ｃ２に挟持されている５つのラミネート型蓄電体１０，１０，１０，１０，１０を電気的に直列接続して所定の電圧にすることができる。
【０１３０】
これにより、複数のラミネート型蓄電体１０を直列接続してユニットを組み立てる際に、蓄電体保持ケースＣ２の置き方の制約が少なくなり、また直列接続を行う場合にも連結途中で分解をする必要がなくなり、作業性を向上させることができる。
【０１３１】
〔実施例３〕
実施例３に係る蓄電体保持ケースＣ３を、図１１〜図１５を参照して説明する。実施例３に係る蓄電体保持ケースＣ３は、実施例２に係る蓄電体保持ケースＣ２に、更に、嵌合型ケース連結部７５を追加したものである。
以下の説明では、嵌合型ケース連結部７５を中心に説明をし、実施例２に係る蓄電体保持ケースＣ２と同一部分には同一符号を付し、重複する説明は省略する。
なお、図１１は表面側から見た斜視図、図１２Ａは正面図、図１２Ｂは上面図、図１２Ｃは下面図、図１２Ｄは左側面図、図１２Ｅは右側面図である。また、図１３Ａは図１２ＡのＡ−Ａ断面図、図１３Ｂは図１２ＡのＢ−Ｂ断面図、図１３Ｃは図１２ＡのＣ−Ｃ断面図、図１３Ｄは図１２ＡのＤ−Ｄ断面図である。
【０１３２】
実施例３の蓄電体保持ケースＣ３では、複数の蓄電体保持ケースＣ３を積み重ねて連結する場合に、蓄電体保持ケースＣ３同士の機械的な連結状態を強固にするために嵌合型ケース連結部７５を備えている。
この嵌合型ケース連結部７５は、突起構造のオス嵌合部７６と、このオス嵌合部７６が緊密に嵌合する（差し込む）ことができる内径を有する穴構造となっているメス嵌合部７７により構成されている。
【０１３３】
蓄電体収容部３００では、裏面Ｓｒ３側に突出した状態で、２つのオス嵌合部７６が離間して配置されている。蓄電体収容部４００では、裏面Ｓｒ４側に突出した状態で、２つのオス嵌合部７６が離間して配置されている。つまり、蓄電体保持ケースＣ４には合計４つのオス嵌合部７６が配置されており、これら４つのオス嵌合部７６は、第１横辺Ｙ３１，Ｙ４１に対して並行な直線の上に並んでいる。
【０１３４】
このとき、４つのそれぞれのオス嵌合部７６の中心と第１横辺Ｙ３１，Ｙ４１までの距離（最短距離）は、全て同じくＬ３１になっている。
また、４つのそれぞれのオス嵌合部７６の中心と縦辺Ｘ３１，Ｘ３２，Ｘ４１，Ｘ４２までの距離（最短距離）は、全て同じくＬ３２になっている。
【０１３５】
蓄電体収容部３００では、裏面Ｓｒ３側からオス嵌合部７６が嵌合できる状態で、２つのメス嵌合部７７が離間して配置されている。蓄電体収容部４００では、裏面Ｓｒ４側からオス嵌合部７６が嵌合できる状態で、２つのメス嵌合部７７が離間して配置されている。つまり、蓄電体保持ケースＣ４には合計４つのメス嵌合部７７が配置されており、これら４つのメス嵌合部７７は、第２横辺Ｙ３２，Ｙ４２に対して並行な直線の上に並んでいる。
【０１３６】
このとき、４つのそれぞれのメス嵌合部７７の中心と第２横辺Ｙ３２，Ｙ４２までの距離（最短距離）は、全て同じくＬ３１になっている。
また、４つのそれぞれのメス嵌合部７７の中心と縦辺Ｘ３１，Ｘ３２，Ｘ４１，Ｘ４２とまでの距離（最短距離）は、全て同じくＬ３２になっている。
【０１３７】
したがって、蓄電体収容部３００，４００を閉じた複数の蓄電体保持ケースＣ３を積み重ね、しかも、下側の蓄電体保持ケースＣ３の第１横辺Ｙ３１，Ｙ４１の上に、上側の蓄電体保持ケースＣ３の第２横辺Ｙ３２，Ｙ４２が位置し、下側の蓄電体保持ケースＣ３の第２横辺Ｙ３２，Ｙ４２の上に、上側の蓄電体保持ケースＣ３の第１横辺Ｙ３１，Ｙ４１が位置するように配置させた場合には、下側のオス嵌合部７６を上側のメス嵌合部７７に嵌合させ、上側のオス嵌合部７６を下側のメス嵌合部７７に嵌合させることができる。
つまり、蓄電体保持ケースＣ３同士を、オス嵌合部７６とメス嵌合部７７との嵌合によっても、機械的に連結することができる。
【０１３８】
図１４は、ラミネート型蓄電体１０を挟持した５つの（♯３１〜♯３５）の蓄電体保持ケースＣ３を重ねて、オス嵌合部７６とメス嵌合部７７との嵌合によって、蓄電体保持ケースＣ３同士を機械的に連結した状態を示す。このとき、ケース連結部７０のオスロック７１は折り曲げていない。
【０１３９】
図１５は、図１４の状態から更に、ケース連結部７０のオスロック７１を折り曲げた状態を示している。オスロック７１を折り曲げることにより、嵌合型ケース連結部７５による機械的連結に加えて、ケース連結部７０による機械的連結も追加され、機械的な連結が極めて強固になる。また、オスロック７１を折り曲げることにより、５つのラミネート型蓄電体１０，１０，１０，１０，１０を電気的に直列接続することができる。
【０１４０】
図１５に示すように、ラミネート型蓄電体１０を挟持した５つ（♯３１〜♯３５）の蓄電体保持ケースＣ３をケース連結部７０及び嵌合型ケース連結部７５により、機械的及び電気的に連結した蓄電体ユニットは、保管が容易であり、また最終的な筐体への組み付け等の際の作業性が向上する。また、振動への耐性も向上させることができる。
【産業上の利用可能性】
【０１４１】
本発明は、蓄電要素をラミネートフィルムで封止した各種のラミネート型蓄電体を自立状態で保持する場合に適用することができる。
【符号の説明】
【０１４２】
１０  ラミネート型蓄電体
１１  蓄電要素
１２  アルミラミネートフィルム
１３ａ，１３ｂ  端子
１４  樹脂フィルム
５０，５１，５２，５３，５４  折り曲げ部
６０  ケース連結部
６１  オスロック
６１ａ  ロック板
６１ｂ  鉤部
６２  メスロック
７０  ケース連結部
７１  オスロック
７１ａ  ロック板
７１ｂ  鉤部
７２  メスロック
７５  嵌合型ケース連結部
７６  オス嵌合部
７７  メス嵌合部
８０  ケース閉じ部
８１  オスロック
８１ａ  ロック板
８１ｂ  鉤部
８２  メスロック
９０  端子ガイド部
９１  端子折り曲げ突部
９２  ケース連結突部
１００，２００，３００，４００  蓄電体収容部
１０１，２０１，３０１，４０１  貫通孔
１１１，２１１，３１１，４１１  溶着部保持溝
１１２，２１２，３１２，４１２  フィルム保持溝
１１３，２１３，３１３，４１３  端子保持溝
Ｃ１，Ｃ２，Ｃ３  蓄電体保持ケース
α  蓄電要素部
β  溶着部
Ｓｓ１，Ｓｓ２，Ｓｓ３，Ｓｓ４  表面
Ｓｒ１，Ｓｒ２，Ｓｒ３，Ｓr  裏面
Ｘ１１，Ｘ２１，Ｘ３１，Ｘ４１  第１縦辺
Ｘ１２，Ｘ２２，Ｘ３２，Ｘ４２  第２縦辺
Ｙ１１，Ｙ２１，Ｙ３１，Ｙ４１  第１横辺
Ｙ１２，Ｙ２２，Ｙ３２，Ｙ４２  第２横辺
【図１】
0006429367.tif 000002
【図２Ａ】
0006429367.tif 000003
【図２Ｂ】
0006429367.tif 000004
【図２Ｃ】
0006429367.tif 000005
【図２Ｄ】
0006429367.tif 000006
【図２Ｅ】
0006429367.tif 000007
【図３Ａ】
0006429367.tif 000008
【図３Ｂ】
0006429367.tif 000009
【図３Ｃ】
0006429367.tif 000010
【図３Ｄ】
0006429367.tif 000011
【図４】
0006429367.tif 000012
【図５】
0006429367.tif 000013
【図６】
0006429367.tif 000014
【図７Ａ】
0006429367.tif 000015
【図７Ｂ】
0006429367.tif 000016
【図７Ｃ】
0006429367.tif 000017
【図７Ｄ】
0006429367.tif 000018
【図７Ｅ】
0006429367.tif 000019
【図８Ａ】
0006429367.tif 000020
【図８Ｂ】
0006429367.tif 000021
【図８Ｃ】
0006429367.tif 000022
【図８Ｄ】
0006429367.tif 000023
【図９】
0006429367.tif 000024
【図１０】
0006429367.tif 000025
【図１１】
0006429367.tif 000026
【図１２Ａ】
0006429367.tif 000027
【図１２Ｂ】
0006429367.tif 000028
【図１２Ｃ】
0006429367.tif 000029
【図１２Ｄ】
0006429367.tif 000030
【図１２Ｅ】
0006429367.tif 000031
【図１３Ａ】
0006429367.tif 000032
【図１３Ｂ】
0006429367.tif 000033
【図１３Ｃ】
0006429367.tif 000034
【図１３Ｄ】
0006429367.tif 000035
【図１４】
0006429367.tif 000036
【図１５】
0006429367.tif 000037
【図１６】
0006429367.tif 000038